(57)【特許請求の範囲】
【請求項１】
バッグまたは他の品目にストラップを取り付けるためのＤ環アセンブリであって、
上面および下面と、一体形成され、上面から突き出す環とを有するベースと、
口を有するグロメットとを備え、
前記環が前記口を通って突き出す状態で、前記グロメットが前記ベースを覆うような構成であり、
前記ベースは前記環が前記品目から外に突出する状態で前記品目の内面に隣接して配置され、前記グロメットは前記ベースの環が前記グロメットの口を通って突出する状態で前記品目の外面に隣接して配置されるようにした、アセンブリ。
【請求項２】
さらに、ベースおよびグロメットのねじ穴を備え、前記ベースとグロメットとが、前記ねじ穴を通るねじを介して相互に固定される、請求項１に記載のアセンブリ。
【請求項３】
さらに、ベースおよびグロメットの一方にあるスタッドと、ベースおよびグロメットの他方にあるスタッド受口とを備え、スタッドをスタッド受口にスナップ留めすることにより、前記ベースがグロメット部分に固定される、請求項１に記載のアセンブリ。
【請求項４】
ベースおよびグロメットが、湾曲した表面にアセンブリを装着するため湾曲している、請求項１に記載のアセンブリ。
【請求項５】
グロメットの口が２つの側部スリットを有し、グロメットをベース上に配置すると、環が２つの側部スリット内に固定されて、グロメットに対するベースの横方向の動作を防止する、請求項１に記載のＤ環アセンブリ。
【請求項６】
ストラップを装着するための一体Ｄ環アセンブリを有する品目であって、
内面および外面を有するバッグと、
バッグに取り付けられたＤ環アセンブリとを備え、Ｄ環アセンブリが、
（ａ）上面および下面、および上面と一体形成され、そこから突き出す環を有するベースを備え、Ｄ環がバッグの穴を通して突き出す状態で、前記ベースの上面がバッグの内面に隣接して配置され、さらに、
（ｂ）口を有するグロメットを備え、前記グロメットは、前記環が前記口を通って突き出すよう、バッグの外面でベースに装着される品目。
【請求項７】
ベースとグロメットがねじを介して相互に固定される、請求項６に記載の品目。
【請求項８】
ベースおよびグロメットの一方がスタッドを含み、ベースおよびグロメットの他方がスタッド受口を含み、ベースとグロメットが、スタッドをスタッド受口にスナップ留めすることにより相互に固定される、請求項６に記載の品目。
【請求項９】
ベースおよびグロメットが湾曲し、バッグの隅に装着される、請求項６に記載の品目。
【請求項１０】
グロメットの口が２つの側部スリットを有し、環が２つの側部スリット内に固定されて、グロメットに対するベースの横方向の動作を防止する、請求項６に記載の品目。
【発明の詳細な説明】
【０００１】
【発明の属する技術分野】
本発明はストラップを手荷物および他の品目に取り付けるＤ環に関する。特に、本発明は、環のベースを囲み、環をしっかり締め付けた状態に維持するグロメットを介してバッグまたは他の品目に固定されるＤ環に関する。
【０００２】
【従来の技術】
ストラップは往々にして、バッグ上のループに縫い付けたＤ環を介して、解放可能な状態でブリーフケースおよび手荷物に固定される。次に、ストラップ上のフックをＤ環にスナップ留めし、ストラップをバッグに固定する。この構成は、着脱式にストラップを品目に取り付けるのに好都合な方法である。しかし、Ｄ環は、縫い付けたループへの応力により、バッグから落下することが多い。また、ループおよびＤ環がバッグから過度に突き出して、特にストラップなしでバッグを使用する場合に魅力のない外観を生成することがある。
【０００３】
【発明が解決しようとする課題】
したがって、分離またはバッグの引裂きの危険なくバッグまたは他の品目にしっかり取り付けるＤ環を提供することが、本発明の目的である。
【０００４】
控え目で、取り付けたバッグまたは品目の外観を損なわないＤ環を提供することが、本発明の別の目的である。
【０００５】
【課題を解決するための手段】
本発明の以上およびその他の目的は、ベースの上面と一体形成され、そこから突き出す環を有するベース、および自身を通る口を有するグロメットを備えるＤ環アセンブリによって達成される。グロメットは、環が口を通って突き出すようベースを覆う。使用時には、環が布地の穴を通って突き出す状態で、ベースをブリーフケースまたは他の品目の布地またはトリムの下に装着する。グロメットをベースおよび布地の頂部に装着し、ベースに固定する。環が、グロメットの穴を通って突き出し、ストラップまたは他の品目をアセンブリに取り付けるのに使用することができる。このアセンブリは、装着した状態にするために細い布地または皮革のストラップの強度に依存しないので、非常に確実である。アセンブリを取り付けたバッグまたは品目の表面から少量しか突き出さないので、非常に滑らかで魅力的でもある。
【０００６】
ベースおよびグロメットは、適切な手段で相互に取り付けることができる。一つの方法は、ベースとグロメットの両方にある穴を通して延在するねじである。これは、ベースをバッグの布地、さらにグロメットへと固定する。別の方法は、ベースまたはグロメットのいずれかにスタッドを成形し、他方の部品にスタッド受口を成形することである。これで、単純にスタッドをスタッド受口にスナップ留めすることにより、部片を相互に固定することができる。この場合、スタッドはバッグの布地も通って延在し、アセンブリ全体もバッグに固定する。
【０００７】
本発明によるアセンブリは、バッグの任意の部分に装着することができるが、往々にしてアセンブリをバッグの隅に装着することが好ましい。これは、取り付けるストラップが肩紐である場合に特に当てはまる。隅に装着するため、アセンブリがバッグの隅の周囲で湾曲できるよう、ベースとグロメットを湾曲させる。バッグ上のアセンブリの位置に応じて、他の形状も構想することができる。
【０００８】
アセンブリは成形プラスチックで作成することが好ましい。
【０００９】
本発明の他の目的および特徴は、添付図面と関連して考察される以下の詳細な説明から明白になる。しかし、図面は例示としてのみ設計され、本発明の限界を規定するものではないことを理解されたい。
【００１０】
図面では、同様の参照文字は幾つかの図を通して同様の要素を指す。
【００１１】
【発明の実施の形態】
次に、図面、特に図１および図２を詳細に参照すると、ベース１０およびグロメット２０を備えるＤ環アセンブリが図示されている。ベース１０は、中心の口１１およびベース１０と一体成形された突出Ｄ環１２を有する。ベース１０の空隙１５および１６内に配置されたねじ穴１３および１４がある。
【００１２】
グロメット２０は、グロメット２０をベース１０上に装着した場合にＤ環１２に対応する側部スリット２２および２３を備えた中心の口２１を有する。スリット２２および２３は、グロメット２０を上に装着した後、ベース１０が横方向に移動するのを防止する。
【００１３】
アセンブリをブリーフケースなどの品目に装着するには、図３に示すように、ベース１０をブリーフケース３０の外部布地層の下に挿入し、ブリーフケース３０の内面に隣接して配置する。これで、Ｄ環１２が布地の穴を通って突き出し、ブリーフケース３０の外側から見える。次に、グロメット２０をベース１０およびブリーフケース３０上で、ブリーフケース３０の外面に隣接して配置し、図２に示すようにねじ２４および２５でベース１０とグロメット２０を相互に固定する。グロメット２０は突起３１および３２を有し、これはベース１０の空隙１３および１４内に填って、ベース１０とグロメット２０との整列を助ける。ねじ２４および２５がベース１０の背後から挿入されて、グロメット２０の突起３１および３２を通って延在し、ベース１０とグロメット２０を相互に固定する。
【００１４】
本発明の代替実施形態を図４に示す。ベース１０とグロメット２０を相互に締め付けるねじの代わりに、ベース１０は２本のスタッド２６および２７を備え、これをグロメット２０上の受口２８および２９にスナップ留めすることができる。あるいは、スタッド２６および２７をグロメット２０上に、受口２８および２９をベース１０に配置することができる。適切ね締付け構成を使用して、ベース１０をグロメット２０に固定することができ、本発明は任意の特定の締付け構成に制限されない。
【００１５】
図１から図４に示す実施形態は、バッグおよびブリーフケースの隅に装着するよう特に構成された湾曲した輪郭を有する。この位置は、肩紐を装着する場合に好ましい。しかし、本発明によるＤ環アセンブリは、品目の面に装着するため、直線の輪郭で製造することができる。アセンブリを装着する表面に応じて、他の形状も作成することができる。アセンブリは高荷重プラスチック材料で作成することが好ましいが、適切な材料を使用することができる。
【００１６】
本発明によるＤ環アセンブリは、ブリーフケース３０の布地を通してブリーフケース３０に固定するので、非常に確実で薄型の構成である。特にベース１０の大きい表面積のため、ベース１０が応力で布地３０を突破する危険は非常に小さい。アセンブリは非常に魅力的であり、ブリーフケース３０から不必要に突き出さない。グロメット２０の口２１とベース１０の口１１が、スナップ・フックまたはＤ環１２の下に挿入してストラップをブリーフケース３０に取り付ける他のタイプの締付け具に、十分なクリアランスを提供するので、Ｄ環１２は、非常に薄型にすることができる。
【００１７】
したがって、本発明のわずかな実施形態についてのみ図示し、説明してきたが、本発明の精神および範囲から逸脱することなく、多くの変更および変形をできることが明白である。
【図面の簡単な説明】
【図１】本発明によるアセンブリのベースおよびグロメットの斜視図を示す。
【図２】本発明によるベースおよびグロメットの組立分解側面図を示す。
【図３】バッグの隅に装着した状態のアセンブリの側断面図を示す。
【図４】本発明によるＤ環アセンブリの代替実施形態の組立分解側面図を示す。
【符号の説明】
１０  ベース
１１  口
１２  Ｄ環
１３  ねじ穴
１４  ねじ穴
１５  空隙
１６  空隙
２０  グロメット
２１  口
２２  スリット
２３  スリット
２４  ねじ
２５  ねじ
２６  スタッド
２７  スタッド
２８  受口
２９  受口
３０  ブリーフケース
３１  突起
３２  突起
【図１】
0003554976.tif 000002
【図２】
0003554976.tif 000003
【図３】
0003554976.tif 000004
【図４】
0003554976.tif 000005